(57)【要約】【課題】大きく開口させて容易に商品を取り出すことができる手提げ箱を提供する。【解決手段】一対のトレー体１をヒンジ線２を介して開閉自在に繋ぎ、各トレー体１のフランジ３を拡大して把手４を形成し、一対のトレー体１をロック機構で係合させて閉止状態に保持する。ロック機構の係合を解除し、一対のトレー体１を大きく開いて、商品を容易に取り出すことができる。【選択図】　図１
2004059002.tif 000002
【特許請求の範囲】
【請求項１】
一対のトレー体をヒンジ線を介して開閉自在に繋ぎ、各トレー体の縁部に一対のトレー体を閉じたとき突き合わされるフランジを設け、各トレー体のフランジを拡大して把手を形成し、一対のトレー体を係合させて閉止状態に保持するロック機構を設けたヒンジ付き手提げ箱。
【請求項２】
前記各トレー体を、角部での折曲片の貼り付けにより形成したことを特徴とする請求項１に記載のヒンジ付き手提げ箱。
【請求項３】
前記各トレー体を、プレス成形により形成したことを特徴とする請求項１に記載のヒンジ付き手提げ箱。
【発明の詳細な説明】
【０００１】
【発明の属する技術分野】
この発明は、商品の持ち帰りに使用する厚紙製のヒンジ付き手提げ箱に関するものである。
【０００２】
【従来の技術】
従来より、商品を包装する箱として、図１８に示すように、各一対の側板５１及び端板５２を継代片５３を介して連設し、端板５２及び側板５１の下縁から延出した内底板５４と外底板５５とを貼り合わせ、端板５２及び側板５１の上縁から延出した内蓋板５６と外蓋板５７とを貼り合わせると共に、外蓋板５７の端縁から延出した把手片５８を重ね合わせ、把手片５８の手入穴５９に手を入れて持ち運べるようにしたものが使用されている。
【０００３】
【発明が解決しようとする課題】
しかしながら、上記のような箱では、開封して商品を取り出す際、内蓋板５６と外蓋板５７の接着を剥がさなければならず、このように上面を開いても、開口部が狭いので、商品を取り出しにくいという問題がある。
【０００４】
そこで、この発明は、大きく開口させて容易に商品を取り出すことができる手提げ箱を提供しようとするものである。
【０００５】
【課題を解決するための手段】
上記課題を解決するため、この発明に係る手提げ箱は、一対のトレー体をヒンジ線を介して開閉自在に繋ぎ、各トレー体のフランジを拡大して把手を形成し、一対のトレー体を閉止状態に保持するロック機構の係合を解除すると、一対のトレー体を大きく開くことができるようにしたのである。
【０００６】
なお、前記各トレー体は、角部での折曲片の貼り付けにより形成してもよく、プレス成形により形成してもよい。
【０００７】
【発明の実施の形態】
この発明の第１実施形態を図１乃至図３に基づいて説明する。
【０００８】
図１及び図２に示すように、この手提げ箱は、一対のトレー体１をヒンジ線２を介して開閉自在に繋いだ構成とされ、商品として３本の飲料缶Ｃを包装するものである。各トレー体１の縁部には、一対のトレー体１を閉じたとき突き合わされるフランジ３が設けられ、各トレー体１の上部のフランジ３を拡大して把手４が形成されている。
【０００９】
この手提げ箱のブランクでは、図３に示すように、各トレー体１の側板５の周囲に一対の端板６、上板７及び底板８が連設され、底板８同士がヒンジ線２を介して連設されている。端板６、上板７及び底板８の端縁にはフランジ３が連設され、上板７及び底板８の両側縁には折曲片９が連設されている。
【００１０】
各トレー体１の把手４には、上板７との境界からやや間隔をおいて長円形の手入穴１０が設けられ、一方のトレー体１の手入穴１０の下縁には先端中間部が突き出した閉止片１１が、他方のトレー体１の上板７にはフランジ３との境界に向かうコ字状の切込１２及び押下片１３がそれぞれ設けられている。
【００１１】
このブランクを組み立てて商品を包装するには、ヒンジ線２を軸に一対の底板８を山折りしつつ、側板５から端板６、上板７及び底板８を起立させ、折曲片９を内側へ折り曲げて端板６の内面に貼り付け、フランジ３同士をコーナー部で貼り合わせて、一対のトレー体１を形成する。
【００１２】
そして、図２に示すように、商品の飲料缶Ｃを収納して、図１に示すように、一対のトレー体１を閉じ、閉止片１１を他方のトレー体１の手入穴１０に通して下方へ折り曲げ、押下片１３を押し下げつつ、閉止片１１の先端部を切込１２に差し込むと、押下片１３が反発で戻り、閉止片１１が抜け止めされる。
【００１３】
このように、上記手提げ箱では、一対のトレー体１を接着剤や粘着テープを用いることなく閉止状態に保持できるので、商品の包装作業が容易になる。
【００１４】
また、商品を店頭から持ち帰る際、把手４に捻るような力が作用しても、フランジ３を拡大した把手４の根元は裂けにくいので、商品の落下が防止される。
【００１５】
一方、この手提げ箱から商品を取り出す際には、押下片１３を押し込むと、閉止片１１が切込１２から抜け出して、図２に示すように、一対のトレー体１が大きく開くので、商品の飲料缶Ｃを掴んで容易に取り出すことができる。
【００１６】
次に、この発明の第２実施形態を、図４乃至図６に基づいて、上記第１実施形態との相違点を中心に説明する。
【００１７】
この手提げ箱では、一方のトレー体１の手入穴１０を上板７との境界まで切り込み、その下縁から延びる閉止片１１に弓状の切込により差込片１４を設け、他方のトレー体１の切込１２を波状に湾曲させ、商品包装時には、閉止片１１の先端側を上方へ折り曲げつつ、差込片１４を切込１２に差し込むようにしている。
【００１８】
この手提げ箱もまた、飲料缶Ｃを取り出す際、閉止片１１の先端部を捲るように折り曲げて切込１２から差込片１４を引き抜くと、一対のトレー体１を大きく開いて、飲料缶Ｃを容易に取り出すことができる。
【００１９】
次に、この発明の第３実施形態を、図７乃至図９に基づいて、上記第１実施形態との相違点を中心に説明する。
【００２０】
この手提げ箱では、各トレー体１の手入穴１０の下縁から互い違いに係止片１５が延出され、これらの係止片１５の基部同士を噛み合わせることにより、一対のトレー体１を閉止状態に保持するようになっている。
【００２１】
この手提げ箱もまた、飲料缶Ｃを取り出す際、各トレー体１の係止片１５を互いに逆方向に折り曲げてその係合を解除し、一対のトレー体１を大きく開いて、飲料缶Ｃを容易に取り出すことができる。
【００２２】
次に、この発明の第４実施形態を、図１０乃至図１２に基づいて、上記第１実施形態との相違点を中心に説明する。
【００２３】
この手提げ箱では、一方のトレー体１の手入穴１０の下縁から閉止片１１が、上縁から握り片１６がそれぞれ延出され、閉止片１１及び握り片１６は基部を除いて他方のトレー体１の手入穴１０の幅よりも大きくなっており、閉止片１１と握り片１６とを他方のトレー体１の手入穴１０に押し込むことにより、一対のトレー体１を閉止状態に保持するようになっている。
【００２４】
この手提げ箱もまた、飲料缶Ｃを取り出す際、閉止片１１と握り片１６とを他方のトレー体１の手入穴１０から抜き出すことにより、一対のトレー体１を大きく開いて、飲料缶Ｃを容易に取り出すことができる。
【００２５】
次に、この発明の第５実施形態を、図１３乃至図１５に基づいて、上記第１実施形態との相違点を中心に説明する。
【００２６】
この手提げ箱では、把手４の幅が大きく、一方のトレー体１の手入穴１０の両側に押込片１７が、他方のトレー体１の手入穴１０の両側に押込穴１８がそれぞれ形成され、押込片１７の幅は押込穴１８の幅よりも大きくなっている。また、一方のトレー体１の手入穴１０の上縁に握り片１６が、他方のトレー体１の手入穴１０の下縁に抑え片１９がそれぞれ連設されている。
【００２７】
そして、押込片１７を押込穴１８に押し込み、握り片１６を他方のトレー体１の手入穴１０に、抑え片１９を一方のトレー体１の手入穴１０にそれぞれ通すことにより、一対のトレー体１が閉止状態に保持される。
【００２８】
この手提げ箱もまた、飲料缶Ｃを取り出す際、押込片１７を押込穴１８から抜き出し、閉止片１１と握り片１６とを相手方のトレー体１の手入穴１０から抜き出すことにより、一対のトレー体１を大きく開いて、飲料缶Ｃを容易に取り出すことができる。
【００２９】
次に、この発明の第６実施形態を、図１６及び図１７に基づいて、上記第１実施形態との相違点を中心に説明する。
【００３０】
この手提げ箱では、段ボールシートを凹入させるようにプレスして、各トレー体１が成形され、一対のトレー体１を閉止状態に保持するロック機構は、第１実施形態と同様の構成になっている。
【００３１】
このように、トレー体１をプレス成形により形成すると、製函に伴う折り曲げや糊貼り作業が不要になり、生産性が向上する。また、各トレー体１の角部が丸みを帯び、デザイン的にも洗練されたものとなる。
【００３２】
【発明の効果】
以上のように、この発明に係るヒンジ付き手提げ箱は、ヒンジ線を介して開閉自在に繋がれた一対のトレー体のフランジを拡大して把手を形成し、一対のトレー体をロック機構で閉止状態に保持することとしたので、ロック機構の係合を解除し、一対のトレー体を大きく開いて容易に商品を取り出すことができる。
【図面の簡単な説明】
【図１】この発明に係る手提げ箱の第１実施形態を示す斜視図
【図２】同上の開放状態を示す斜視図
【図３】同上のブランクを示す図
【図４】この発明に係る手提げ箱の第２実施形態を示す斜視図
【図５】同上の開放状態を示す斜視図
【図６】同上のブランクを示す図
【図７】この発明に係る手提げ箱の第３実施形態を示す斜視図
【図８】同上の開放状態を示す斜視図
【図９】同上のブランクを示す図
【図１０】この発明に係る手提げ箱の第４実施形態を示す斜視図
【図１１】同上の開放状態を示す斜視図
【図１２】同上のブランクを示す図
【図１３】この発明に係る手提げ箱の第５実施形態を示す斜視図
【図１４】同上の開放状態を示す斜視図
【図１５】同上のブランクを示す図
【図１６】この発明に係る手提げ箱の第６実施形態を示す斜視図
【図１７】同上の開放状態を示す斜視図
【図１８】従来の手提げ箱を示す斜視図
【符号の説明】
１　トレー体
２　ヒンジ線
３　フランジ
４　把手
５　側板
６　端板
７　上板
８　底板
９　折曲片
１０　手入穴
１１　閉止片
１２　切込
１３　押下片
１４　差込片
１５　係止片
１６　握り片
１７　押込片
１８　押込穴
１９　抑え片
【図１】
2004059002.tif 000003
【図２】
2004059002.tif 000004
【図３】
2004059002.tif 000005
【図４】
2004059002.tif 000006
【図５】
2004059002.tif 000007
【図６】
2004059002.tif 000008
【図７】
2004059002.tif 000009
【図８】
2004059002.tif 000010
【図９】
2004059002.tif 000011
【図１０】
2004059002.tif 000012
【図１１】
2004059002.tif 000013
【図１２】
2004059002.tif 000014
【図１３】
2004059002.tif 000015
【図１４】
2004059002.tif 000016
【図１５】
2004059002.tif 000017
【図１６】
2004059002.tif 000018
【図１７】
2004059002.tif 000019
【図１８】
2004059002.tif 000020